(57)【要約】【課題】炊飯器本体から外部に洩れる磁界を低減するための防磁板を有し、かつこの防磁板と加熱コイルの間隔を一定に保ち加熱パワーの安定化とがたつきにより発生する振動や異音を抑制することの可能な炊飯器を提供すること。【解決手段】本発明の炊飯器は、炊飯器の本体１０１と、本体１０１に着脱自在に内挿可能な鍋１０２と、鍋１０２の下方部分を収容する保護枠１０３を備え、保護枠１０３は、鍋１０２を誘導加熱する加熱コイル１０４を有し、保護枠１０３の外側方には、加熱コイル１０４より発生する磁束の本体外への漏洩を低減する非磁性体金属にて形成された防磁板１０８を配設し、防磁板１０８は少なくとも２箇所の複数の折り曲げを有する多角形状を呈してなる。【選択図】図１
2013233332.tif 000002
【特許請求の範囲】
【請求項１】
炊飯器本体と、前記本体に着脱自在に内挿可能な鍋と、前記鍋の下方部分を収容する保護枠を備え、前記保護枠は前記鍋を誘導加熱する加熱コイルと、前記加熱コイルより発生する磁束の本体外への漏洩を低減する非磁性体金属にて形成された防磁板とを有し、前記防磁板は少なくとも２ケ所の複数箇所の折り曲げ部を備えた多角形状となっていることを特徴とする炊飯器。
【発明の詳細な説明】
【技術分野】
【０００１】
本発明は、電磁誘導による高出力の加熱により炊飯性能を向上させる炊飯器に関するものである。
【背景技術】
【０００２】
従来、この種の電磁誘導式炊飯器は、鍋内の米と水を加熱するために鍋底部に配置した鍋加熱手段が主であり、鍋の下方に配設した加熱コイルに通電することにより発生する渦電流で鍋自体を加熱させて、鍋内の調理物を加熱する方法が一般的である。しかし、通電中に炊飯器の本体外へ磁束が漏洩するのを防ぐため、加熱コイルの側外方に防磁板を設置することが一般的に行われていた。（例えば、特許文献１参照）。
【０００３】
特許文献１記載の従来の構成の炊飯器は、図３に示されているように、本体内に着脱自在の鍋１を内装し、鍋１の下方部を収納する耐熱性樹脂で構成された保護枠２を有し、保護枠２の下面には鍋１を加熱する加熱コイル３を配設してある。加熱コイル３の側外方位置には帯状の非磁性体金属であるアルミニウム板を略環状にした防磁板４を配置してあり、防磁板４は、保護枠２の外周にある複数のリブ間に嵌合して固定されるようになっている。
【０００４】
以上のような構成で、加熱コイル３によって鍋１を加熱し、米・水の調理物を調理するようになっているわけであるが、加熱コイル３に通電が行われると渦電流が発生し保護枠２内に収容された鍋１を加熱すると同時に防磁板４には防磁板を通過する磁界を打ち消すような渦電流が発生し、炊飯器本体外へ洩れる磁界を低減するような構成となっていた。
【先行技術文献】
【特許文献】
【０００５】
【特許文献１】特開２００６−２３０４３５号公報
【発明の概要】
【発明が解決しようとする課題】
【０００６】
しかしながら、特許文献１記載の従来の炊飯器において、防磁板の材料のアルミニウム板を、使用者の使い勝手の向上のため本体の軽量化の目的で、板厚を薄くする際に帯状の略環状に構成された防磁板は自身の剛性が弱く、保護枠外周部に配置される場合に荷重で変形が発生するという課題があった。
【０００７】
この場合、加熱コイルと防磁板の間隔が変化してしまい、適正な加熱パワーが得られずに炊飯性能が悪化するという結果につながってしまう。また、防磁板が、がたつき、振動や異音発生の原因となる恐れもあった。
【０００８】
本発明の炊飯器は、前記従来課題を解決するもので、薄板状金属で防磁板を構成する際においても充分な剛性を有した防磁板を得ることによって、加熱コイルの間隔を一定に保ち加熱パワーの安定化とがたつきにより発生する振動や異音を抑制することの可能な炊飯器を提供することを目的とする。
【課題を解決するための手段】
【０００９】
前記従来の課題を解決するために、本発明の炊飯器は、本体に着脱自在に内挿可能な鍋と、前記鍋の下方部分を収容する保護枠を備え、前記保護枠は鍋を誘導加熱する加熱コイルと、前記加熱コイルより発生する磁束の本体外への漏洩を低減する非磁性体金属にて形成された防磁板とを有し、前記防磁板は少なくとも２ケ所の複数箇所の折り曲げ部を備えた多角形状となっているものである。
【００１０】
これによって、防磁板の剛性強度が向上して、組立時の変形等により加熱コイルと防磁板の間隔は一定でなくなるようなことが無く、鍋に安定した加熱パワーを与えることができる。また、防磁板の強度が高いため誘導加熱時の微振動や異音等の恐れをなくすることができる。
【発明の効果】
【００１１】
本発明の炊飯器は、防磁板と加熱コイルの間隔を一定に保ち加熱パワーの安定化とがたつきにより発生する振動や異音を抑制することの可能な炊飯器を提供することができるようにしたものである。
【図面の簡単な説明】
【００１２】
【図１】本発明の実施の形態１における炊飯器の断面図
【図２】本発明の実施の形態１における炊飯器の斜視図
【図３】従来の炊飯器を示す断面図
【発明を実施するための形態】
【００１３】
本発明は、炊飯器本体に着脱自在に内挿可能な鍋と、前記鍋の下方部分を収容する保護枠を備え、前記保護枠は鍋を誘導加熱する加熱コイルと、前記加熱コイルより発生する磁束の本体外への漏洩を低減する非磁性体金属にて形成された防磁板とを有し、前記防磁板は少なくとも２ケ所以上の複数箇所の折り曲げ部を備えた多角形状となっているものである。
【００１４】
これによって、防磁板の剛性強度が向上して組立時の変形等により加熱コイルと防磁板の間隔は一定でなくなるようなことが無く、鍋に安定した加熱パワーを与えることができる。また、防磁板の強度が高いため誘導加熱時の微振動や異音等も防止することができる。
【００１５】
以下、本発明の実施の形態について、図面を参照しながら説明する。なお、この実施の形態によって本発明が限定されるものではない。
【００１６】
（実施の形態１）
図１、２は、本発明の実施の形態における炊飯器を示すものである。図面を簡潔にするために、電気的接続のためのリード線等は省略してある。
【００１７】
図１において、炊飯器の本体１０１に着脱自在の鍋１０２が収容される有底筒状の保護枠１０３を備え、鍋１０２を着脱自在に収容するようになっている。保護枠１０３の底部には、鍋１０２を加熱するための加熱コイル１０４が備えられ、鍋１０２を誘導加熱し、炊飯・保温を行う。なお、加熱コイル１０４を用いた誘導加熱方式でなく、鋳込みヒータで鍋１０２を加熱しても良いが、誘導加熱方式の方がより高火力・高効率で鍋１０２を加熱することができることは明らかである。加熱コイル１０４は、内側と外側に分割して配置した内加熱コイル１０４ａと外加熱コイル１０４ｂにより構成されている。本体１０１の後方には加熱コイル１０４を制御する制御回路１０５が配設されている。また、保護枠１０３の底部中央には鍋１０２の底面に接触して、その温度を検知する底センサー１０６が設けられ、鍋１０２の温度を検知し、制御回路１０５へ信号を送り、加熱コイル１０４の通電量を制御し、鍋１０２の加熱量を制御することで、鍋１０２の温度を炊飯・保温の適した温度に制御するようになっている。
【００１８】
保護枠１０３は、加熱コイル１０４の外方に少なくとも４個以上の複数個のフェライト１０７を略均等位置に配し、底面方向への加熱コイル１０４の磁束が漏洩するのを防ぐとともに鍋１０２への誘導加熱を高効率に促進する働きをするようになっている。さらに外加熱コイル１０４ｂの外周位置には、０．５ｍｍ〜０．６ｍｍ程度の板厚の非磁性体金属であるアルミニウム板を４箇所の折り曲げ部１０８ａを有し多角形状に構成された防磁板１０８が配置されている。
【００１９】
本体１０１の上方には、鍋１０２の開口部を覆い、ヒンジ部１０９により軸支され開閉自在の蓋体１１０が設置されている。蓋体１１０内には鍋開口部をシールするパッキン１１１を備え、蓋体１１０より着脱自在で、おもにステンレス等の磁性体金属で作られた加熱板１１２が備えられ、加熱板１１２の略中央部には加熱板１１２に圧接して鍋１０２上部の温度を検知する蓋センサー１１３が設けられている。また加熱板１１２上方には蓋コイル１１４が設置され、蓋センサー１１３が加熱板１１２の温度を検知して制御回路１０５に通信を行い、蓋コイル１１４の通電制御を行い、加熱板１１２側からの加熱を行い、炊飯・保温時の鍋１０２の適温制御をおこなうようになっている。また、蓋体１１０の先端には蓋係合部１１５を設けており、閉蓋時に本体１０１の前方のフックボタン１１６と係合して、炊飯または保温中に誤って蓋体１１０が開成しないようにしている。
【００２０】
以上のように構成された炊飯器の動作について説明すると、鍋１０２内に準備された米・水の調理物が、制御回路１０５の制御により炊飯工程に入る。炊飯工程は大別して、「浸水」・「炊き上げ」・「蒸らし」の各工程に分けられ、底センサー１０６や蓋センサー１１３が各部の温度検知を行いながら内加熱コイル１０４ａ・外加熱コイル１０４ｂや蓋コイル１１４からの加熱が行われて炊飯が行われるようになっている。
【００２１】
各工程において鍋１０２の加熱のため、加熱コイル１０４から磁界が発生するが、発生した磁界は概略上方側においては鍋１０２を加熱するエネルギーとして使われるが、下方側や側面方向の磁界においては本体１０１より外に放出されてしまわないように、下方側への漏洩はフェライト１０７により防止され、側面方向への漏洩は防磁板１０８により防止されるようになっている。防磁板１０８と外加熱コイル１０４ｂの距離は近すぎると鍋１０２を加熱する磁界まで吸収してしまい、遠すぎると磁束の漏洩防止に効果がなくなるので、最適の位置関係がある。発明者らはこの距離を約３０ｍｍ前後に設定して来ている。前述した構成にあるように防磁板１０８は、４ケ所の折り曲げ部１０８ａ間の一辺一辺が、一定の強度を有し防磁板１０８と加熱コイル１０４の必要距離を保つことができるので、鍋１０２への加熱パワーが安定して得られ、かつ誘導加熱中の不要な振動等も低減される。
【００２２】
以上のように、本発明の炊飯器は、防磁板１０８と加熱コイル１０４の距離間隔を一定に保ち加熱パワーの安定化とがたつきにより発生する振動や異音を抑制することの可能な炊飯器を提供することができるようにしたものである。
【産業上の利用可能性】
【００２３】
以上のように、本発明にかかる炊飯器は、加熱パワーの安定化や不要な振動・異音を防止することが可能となるので、その他の誘導加熱調理機器等の用途にも適用できる。
【符号の説明】
【００２４】
１０１    本体
１０２    鍋
１０３    保護枠
１０４    加熱コイル
１０８    防磁板
【図１】
2013233332.tif 000003
【図２】
2013233332.tif 000004
【図３】
2013233332.tif 000005